(57)【要約】【課題】筒状体の底板にねじ孔を簡単に形成できると共に、セパレータと筒状体を真直ぐに連結できるようにした凹陥部形成用治具とする。【解決手段】コンクリート基礎４の底面４ａに固着される固着部材３にセパレータ２の下部を固着し、このセパレータ２の上部に筒状体１を連結したコンクリート基礎４に凹陥部６を形成する治具であって、前記筒状体１の底板１１の孔１４にねじ軸１３を挿通し、そのねじ部１３ａに上・下ナット１５，１６を螺合し底板１１の上・下面１１ａ，１１ｂに押しつけてねじ軸１３を固着し、このねじ軸１３のねじ孔１３ｂにセパレータ２の上ねじ部２０を螺合してセパレータ２と筒状体１を連結した治具で、前記ねじ軸１３を簡単に底板１１に固着できるから底板１１にねじ孔１３ｂを簡単に形成できるし、そのねじ軸１３が底板１１に対して直角であるから、セパレータ２と筒状体１をまっすつに連結できる。【選択図】図１
2008121232.tif 000002
【特許請求の範囲】
【請求項１】
コンクリート基礎４の底部４ａ又は鉄筋７に固着される固定部材３と、
この固定部材３に固着されるセパレータ２と、
このセパレータ２の上部に高さ調整自在に連結され、コンクリート基礎４に凹陥部６を形成するための筒状体１を備え、
前記筒状体１の底板１１に形成した孔１４に、外周面にねじ部１３ａを有すると共に、軸心にねじ孔１３ｂを有するねじ軸１３を、当該ねじ軸１３と孔１４との間に環状の隙間を有して挿通し、このねじ軸１３のねじ部１３ａに上ナット１５と下ナット１６を螺合し、その上ナット１５を前記底板１１の上面１１ａに押しつけ、かつ下ナット１６を前記底板１１の下面１１ｂに押しつけることで前記ねじ軸１３を前記底板１１に固着し、
前記セパレータ２の上ねじ部２０に、前記ねじ軸１３のねじ孔１３ｂを螺合して当該セパレータ２の上部に筒状体１を連結したことを特徴とする凹陥部形成用治具。
【請求項２】
セパレータ２の上ねじ部２０に上ロックナット２２を螺合し、この上ロックナット２２をねじ軸１３に締め付けることでねじ軸１３をロックした請求項１記載の凹陥部形成用治具。
【発明の詳細な説明】
【技術分野】
【０００１】
本発明は、コンクリート基礎を打設する際に、そのコンクリート基礎に凹陥部、例えば、建物、工作物等を固定するアンカーボルトを埋め込んだり、支柱を建柱するためのアンカーホール、排水用溝、排水用集水ピットなどを形成する凹陥部形成用治具に関する。
【背景技術】
【０００２】
建物、工作物を建造するには、まずコンクリート基礎を打設する。このコンクリート基礎を打設する際に、治具を用いてアンカーホールを形成する。
このアンカーホールにアンカーボルトを埋め込み、そのアンカーボルトを利用して建物、工作物を固定するのが一般的である。
【０００３】
前述の治具としては特許文献１に開示されたように、固定部材とセパレータと筒状体を備え、その固定部材をコンクリート基礎の底部寄りに固定し、この固定部材にセパレータの下部を連結すると共に、そのセパレータの上部に筒状体を高さ調整自在に連結するようにした治具が知られている。
この治具をコンクリートを打設する前にコンクリート基礎の底部に設け、その筒状体の高さを調整して筒状体の上面をコンクリート基礎の上面と同一高さとし、その後にコンクリートを打設することで筒状体によって凹陥部、例えばアンカーホールを形成できる。
【０００４】
【特許文献１】特開２００５−２４８４５６号公報
【発明の開示】
【発明が解決しようとする課題】
【０００５】
前述した従来の治具は、筒状体の底板に穴を形成すると共に、その穴の周縁にナットを溶接して固着することで底板にねじ孔を形成し、このナット（ねじ孔）にセパレータの上ねじ部を螺合すると共に、ロック用のナットを締め付けてセパレータの上部に筒状体を連結し、前記ロック用のナットを弛めてセパレータと筒状体を相対的に回転することで筒状体の高さを調整できるようにしてある。
しかし、筒状体の底面にナットを溶接する作業が面倒で、底板にねじ孔を形成することが面倒である。しかも、溶接によって筒状体の底板に歪みが生じてナットが筒状体の底板に対して直角にならないことがある。
前述のように、ナットが筒状体の底板に対して直角でないと、そのナットとセパレータの上ねじ部を螺合して筒状体をセパレータに取付けた状態で、その筒状体とセパレータが真直ぐにならずに筒状体が斜めとなる。
このように、筒状体が斜めになると筒状体の上面が水平にならずに傾斜してしまうので、アンカーホールを正しく形成できない。
【０００６】
本発明の目的は、筒状体の底板に簡単にねじ孔を形成できると共に、筒状体とセパレータを真直ぐに直結できるようにした凹陥部形成用治具を提供することである。
【課題を解決するための手段】
【０００７】
本発明者等は、前述した従来の課題を解決すべく鋭意研究実験した結果、ナットを筒状体の底板にボルト・ナットを用いて固着すれば底板に歪みなどが発生しないのでナットを筒状体の底板に真直ぐに取付けできることを見出した。
しかし、ナットを底板にボルト・ナットで固着するには大変面倒な加工が必要となり、実用的ではなかった。
そこで、本発明者等はさらに研究、実験した結果、ナットに相当するねじ孔を有する軸体の外周面にねじ部を形成したねじ軸を見出し、このねじ軸を底板の孔に挿通し、そのねじ軸の外周面のねじ部に上ナットと下ナットを螺合して底板の上下面に押しつけることでねじ軸を底板に固着できることを見出し、本発明に到った。
前述のねじ孔を有する軸体の外周面にねじ部を形成したねじ軸は、本発明の治具のみではなく、他のものにも応用することができる。
【０００８】
本発明は、コンクリート基礎４の底部４ａ又は鉄筋７に固着される固定部材３と、
この固定部材３に固着されるセパレータ２と、
このセパレータ２の上部に高さ調整自在に連結され、コンクリート基礎４に凹陥部６を形成するための筒状体１を備え、
前記筒状体１の底板１１に形成した孔１４に、外周面にねじ部１３ａを有すると共に、軸心にねじ孔１３ｂを有するねじ軸１３を、当該ねじ軸１３と孔１４との間に環状の隙間を有して挿通し、このねじ軸１３のねじ部１３ａに上ナット１５と下ナット１６を螺合し、その上ナット１５を前記底板１１の上面１１ａに押しつけ、かつ下ナット１６を前記底板１１の下面１１ｂに押しつけることで前記ねじ軸１３を前記底板１１に固着し、
前記セパレータ２の上ねじ部２０に、前記ねじ軸１３のねじ孔１３ｂを螺合して当該セパレータ２の上部に筒状体１を連結したことを特徴とする凹陥部形成用治具である。
【０００９】
本発明においては、セパレータ２の上ねじ部２０に上ロックナット２２を螺合し、この上ロックナット２２をねじ軸１３に締め付けることでねじ軸１３をロックすることができる。
このようにすれば、振動や衝撃などでねじ軸１３がセパレータ２の上ねじ部２０に対して弛むことがなく、この治具をコンクリート基礎４の底部４ａに設置した状態でコンクリートを流し込んだ際に筒状体１が動くことがなく所定の高さ位置にしっかりと保持できる。
【発明の効果】
【００１０】
本発明によれば、筒状体１を回転することでねじ軸１３がセパレータ２の上ねじ部２０に対して回転して上下に移動するので、その筒状体１の高さを調整できる。
また、底板１１の孔１４にねじ軸１３を挿通し、上ナット１５と下ナット１６を螺合して締め付けることでねじ軸１３が底板１１に固着され、底板１１にねじ孔１３ｂを形成することができるので、その作業が簡単であるから、筒状体１の底板１１にねじ孔１３ｂを簡単に形成できる。
しかも、底板１１の上面１１ａに押しつけられた上ナット１５と底板１１の下面１１ｂに押しつけられた下ナット１６でねじ軸１３を底板１１に固着してあるから、そのねじ軸１３が底板１１に対して直角で、筒状体１とセパレータ２が真直ぐに連結される。
【発明を実施するための最良の形態】
【００１１】
図１と図２に示すように、筒状体１とセパレータ２と固定部材３で凹陥部形成用治具としてある。
前記筒状体１は、筒１０と、この筒１０の下部に取付けた底板１１と、その筒１０の上部に取付けた上蓋１２で下面と上面が閉塞された筒形状で、その底板１１にセパレータ取付用のねじ軸１３が固着してある。
このねじ軸１３は、外周面にねじ部１３ａを有すると共に、軸心にねじ孔１３ｂを有している。このねじ孔１３ｂはねじ軸１３の軸方向両端面（上下面）に開口している。なお、ねじ孔１３ｂはねじ軸１３の下面にのみ開口しても良い。
前記セパレータ２はロッド形状で、その上部には上ねじ部２０、下部には下ねじ部２１を有している。この上ねじ部２０には上ロックナット２２が螺合してあると共に、下ねじ部２１には下ロックナット２３が螺合している。
前記固定部材３はねじ孔３０を有する本体３１と、この本体３１の下部に一体的に設けた複数の変形部３２を有する形状である。
【００１２】
前記固定部材３は図１に仮想線で示すように、コンクリート基礎４の底部４ａ、例えば均しコンクリートに形成した穴５に固定される。
例えば、固定部材３の本体３１を穴５に入れてハンマー等で打撃することで変形部３２を変形して固定する。変形ではなく、接着剤などを用いて接着して固定しても良い。
前記セパレータ２の下部は固定部材３に取付けられる。
例えば、セパレータ２の下ねじ部２１を固定部材３のねじ孔３０に螺合し、下ロックナット２３を締め付けてロックすることで、セパレータ２の下部を固定部材３に取付ける。
【００１３】
前記筒状体１とセパレータ２の上部は、そのセパレータ２の上ねじ部２０を筒状体１のねじ軸１３のねじ孔１３ｂに螺合し、上ロックナット２２を締め付けてロックすることで連結される。
このようであるから、固定部材３にセパレータ２の下部を取付けた状態で、上ロックナット２２を弛め、筒状体１とともにねじ軸１３を回転することで筒状体１がセパレータ２に対して上下方向に移動するので、その筒状体１の取付け高さを調整して所定の高さとすることができる。
例えば、筒１０の上端面１０ａをコンクリート基礎４の上面４ｂと同一高さとすることができる。
【００１４】
次に、前記ねじ杆１３の固着について説明する。
前記ねじ杆１３は底板１１の孔１４を挿通して底板１１の上面１１ａ、下面１１ｂよりもそれぞれ上下に突出し、その突出した部分のねじ部１３ａに上ナット１５と下ナット１６をそれぞれ螺合して締め付けることで底板１１の上面１１ａ、下面１１ｂにそれぞれ押しつけてねじ軸１３を底板１１に固着してある。
前記底板１１の孔１４の内径はねじ軸１３の外径よりも大きく、孔１４とねじ軸１３との間には環状の隙間が形成される。
【００１５】
このようであるから、ねじ軸１３を孔１４に挿入し、上ナット１５と下ナット１６を螺合して締め付ける簡単な操作で筒状体１にねじ軸１３を固着してねじ孔１３ｂを底板１１に形成できるから、筒状体１の底板１１にねじ孔１３ｂを簡単に形成できる。
【００１６】
また、上ナット１５を底板１１の上面１１ａに押しつけるとともに、下ナット１６を底板１１の下面１１ｂに押しつけて上下ナット１５，１６で底板１１を挟持することでねじ軸１３を固着してあるので、このねじ軸１３を底板１１に対して直角に固着できる。
したがって、このねじ軸１３の軸心に形成したねじ孔１３ｂが底板１４と直角であるから、そのねじ孔１３ｂに螺合したセパレータ２も底板１４と直角であり、筒状体１とセパレータ２を真直ぐに連結できる。
【００１７】
次に、筒状体１を詳細に説明する。
前記筒１０は、その外周面１０ｂが、上部が大径で下部が小径となるテーパー形状で、コンクリート基礎４から抜き出し易くしてある。
前記底板１１は筒１０と別体で、横板１１ｃと、その横板１１ｃの周縁に沿って一体的に設けたリング状の立上り片１１ｄを有する。
そして、筒１０の下部寄りを底板１１に嵌合して筒１０の下部開口端面１０ｃを横板１１ｃに接すると共に、筒１０の外周面１０ｂを立上り片１１ｄに接し、その立上り片１１ｄと筒１０の下部寄りをスポット溶接、ビス、ボルト・ナットなどの固着手段で固着してある。
前記上蓋１２は横板１２ａとリング状の垂下片１２ｂを有し、その垂下片１２ｂを筒１０の上部に嵌合して着脱自在に取付けてある。
【００１８】
前述の凹陥部形成用治具を用いてコンクリート基礎に凹陥部を形成する際には、前述した従来技術と同様にして均しコンクリート（コンクリート基部４の底部４ａ）に穴５を形成し、この穴５に固着部材３を固着して取付け、この固着部材３にセパレータ２の下部を固着して取付け、そのセパレータ２の上部に筒状体１を連結して取付けると共に、その筒状体１の高さを調整してコンクリート基礎４の上面４ｂに合わせる。
そして、コンクリートを流し込んでコンクリート基礎４とする。この時、ねじ軸１３は上ロックナット２２でセパレータ２の上ねじ部２０にロックされているので、流し込んだコンクリートで筒状体１が動くことがない。セパレータ２から筒状体１を取り外して引き抜き、凹陥部６を形成する。
前述のように、筒状体１をセパレータ２から取り外しするには、上蓋１２を取り外し、上ナット１５に回転工具を掛けて回転することで筒状体１とともにねじ杆１３を回転してセパレータ２の上ねじ部２０からねじ杆１３を取り外しする。
なお、筒状体１をコンクリート基礎４から引き抜きせずに残存させ、その筒状体１を凹陥部とすることも可能である。
【００１９】
次に、本発明の他の実施の形態について説明する。
前記筒１０を、その外周面１０ｂに螺旋状突起を一体に有するものとしても良い。
このようにすれば、コンクリート基礎４から筒状体１を引き抜いた後に形成される凹陥部６が、その内周面に螺旋状溝を有する形状となるので、アンカーなどを保持し易い。
【００２０】
また、底板１１は横板１１ｃのみでも良い。この場合には筒１０を中央に穴を有する底面で閉塞されたものとし、その底面と底板１１を固着すると共に、ねじ杆１３と上ナット１５が筒１０の底面の穴から上方に突出するようにすることが好ましい。
【００２１】
また、底板１１は図３に示すように横板１１ｃと一対の縦板１１ｅとで上向きコ字形状としても良い。
このようにすれば、筒体１０を幅が小さく長さが大きく底面１０ｄを有する形状とすることができるので、幅が小さく長さが大きな凹陥部を形成でき、排水用溝、排水用集水ピットなどに好適である。
【００２２】
また、筒１０と底板１１を一体としても良い。
また、上蓋１２はコンクリートを流し込む時に筒１０内にコンクリートなどが入らないようにすることを目的とするものであるから、注意深くコンクリートを流し込みすれば上蓋１２はなくとも良い。
また、上ナット１５に回転工具を掛けて筒状体１を回転するようにしたが、筒１０を六角、五角などの多角形状とし、上蓋１２を多角形状で回転把手を有する形状として、その上蓋１２を筒１０内に嵌合し、回転把手を持って回転することで筒１０が回転するようにしても良い。
【００２３】
前記固定部材３は図５と図６に示すように、コンクリート基礎４を打設する際に配設する鉄筋７に固定して取付けできるものとしても良い。
例えば、横片３３と一側縦片３４と他側縦片３５でコ字形状とした鉄筋支持部材３６と、その一側縦片３４に設けたセパレータ取付片３７と、前記他側縦片３５のねじ孔３５ａに螺合した押えボルト３８で固定部材３とする。
そして、コンクリート基礎４を打設する際に配設した鉄筋７に鉄筋支持部材３６を上から嵌め込み、押えボルト３８を締め付けて鉄筋７に固着して取付ける。
このセパレータ取付片３７のボルト孔３７ａにセパレータ２の下ねじ部２１を螺合して下ロックナット２３でロックしてセパレータ２を取付ける。
【図面の簡単な説明】
【００２４】
【図１】本発明の実施の形態を示す治具の断面図である。
【図２】本発明の実施の形態を示す治具の分解斜視図である。
【図３】筒状体の底板の他の実施の形態を示す斜視図である。
【図４】固定部材の他の実施の形態を示す斜視図である。
【図５】取付け状態の側面図である。
【符号の説明】
【００２５】
１…筒状体、２…セパレータ、３…固定部材、４…コンクリート基礎、４ａ…底面、５…穴、６…凹陥部、１０…筒、１１…底板、１１ａ…上面、１１ｂ…下面、１３…ねじ軸、１３ａ…ねじ部、１３ｂ…ねじ孔、１４…孔、１５…上ナット、１６…下ナット、２０…上ねじ部、２１…下ねじ部、２２…上ロックナット、２３…下ロックナット。
【図１】
2008121232.tif 000003
【図２】
2008121232.tif 000004
【図３】
2008121232.tif 000005
【図４】
2008121232.tif 000006
【図５】
2008121232.tif 000007